(57)【要約】      （修正有）【課題】多くの機種を品揃えするにおいて、コストダウンできる椅子を提供する。【解決手段】ベース５の内部に傾動体１２が配置されており、ロッキング用のばねもベース５の内部に配置されており、これらはユニット化されている。傾動体１２はベース５の後ろに突出した後ろ向き張り出し部１２ａを有しており、この後ろ向き張り出し部１２ａにリアブロック体１４が固定されている。リアブロック体１４は、ベース５の後ろに位置したリア部１４ｂと、ベース５の左右外側に位置したサイド部１４ａとを有しており、リア部１４ｂに肘支柱を取り付け、サイド部１４ａに肘掛け装置を取り付けている。ベース５と傾動体１２とが一体に組み込まれたユニットを使用しつつ、リアブロック体１４を利用して肘支柱や肘掛け装置を取り付けできる。このため、多機種の椅子を品揃えするにおいて、コストダウンできる。【選択図】図１３
2017064035.tif 000002
【特許請求の範囲】
【請求項１】
脚の上端に設けたベースに、ばねに抗して後傾する傾動体が組み込まれており、前記ベースと傾動体とばねとが１つにユニット化されている構成であって、
前記傾動体に、前記ベースの後ろに位置したリア部とベースの左右外側に位置したサイド部とを有するブロック体が固定されており、前記ブロック体のリア部には背もたれ又はこれを支持する背支柱が取り付けられて、前記ブロック体のサイド部には肘掛け装置が取り付けられている、
椅子。
【請求項２】
前記肘掛け装置は、前記ブロック体のサイド部に固定される水平状部を有する肘支柱と、前記肘支柱の上端に設けた肘当てとを有しており、前記肘支柱の水平状部は、前記傾動体の回動支点の近傍に位置している、
請求項１に記載した椅子。
【請求項３】
前記肘支柱の水平状部にはボス部を設けて、前記ブロック体のサイド部には、前記ボス部が嵌まる係合穴が空いており、前記ボス部がビスで前記サイド部に固定されている、
請求項２に記載した椅子。
【請求項４】
前記ブロック体のサイド部は、前記傾動体の回動支点の手前に向けて張り出した前向きアーム状になっており、前記サイド部の前端部で、人が着座すると座を下降させるためのリアリンクを連結している、
請求項１〜３のうちのいずれかに記載した椅子。
【請求項５】
脚の上端に設けたベースに、ばねに抗して後傾する傾動体が組み込まれており、前記ベースと傾動体とばねとが１つにユニット化されている構成であって、
前記傾動体に、前記ベースの後ろに位置したリア部とベースの左右外側に位置したサイド部とを有するブロック体が固定されており、前記ブロック体のリア部には背もたれ又はこれを支持する背支柱が取り付けられて、前記ブロック体のサイド部に、肘掛け装置が取り付く肘掛け保持部を設けている、
椅子。
【発明の詳細な説明】
【技術分野】
【０００１】
本願発明は、肘掛け装置を取り付けた（或いは取り付けできる）椅子に関するものである。
【背景技術】
【０００２】
椅子において、肘掛け装置を標準品として又はオプション品として取り付けることは広く行われている。肘掛け装置の取り付け構造は様々であり、例えば特許文献１には、ベース（支基）に後傾動自在に連結された背もたれ支持杆のうち、回動支点から後ろ向きに延びる水平部の前後中間部に、左右外向きに突出した肘フレーム取り付け部を一体に設けて、この肘フレーム取り付け部に、肘支柱の下端部を左右横長のビスで固定することが開示されている。
【０００３】
肘掛け装置は、ベースや座受け部材に固定することも行われているが、特許文献１，２のように、背もたれが取り付く傾動フレーム（背フレーム）に固定すると、ロッキング時に肘掛け装置も一緒に回動するため、着座者の身体の動きに対する追従性に優れているという利点がある。
【先行技術文献】
【特許文献】
【０００４】
【特許文献１】特許第３３０１９９８号公報
【特許文献２】特許第４９４３１１３号公報
【発明の概要】
【発明が解決しようとする課題】
【０００５】
特許文献１，２は上記のような利点があるが、背もたれ支持杆がベースに連結されているため、例えば、背もたれのデザインに変更があると、背もたれ支持杆もその変更に応じて異なる形態にせねばならない。このため、多くの機種を品揃えするにおいて、コストが嵩むと共に部材管理にも手間がかかるという問題があった。
【０００６】
また、特許文献１，２では、肘掛け装置は、傾動フレームのうちその回動支点よりも後ろに取り付けられているため、ロッキング時に肘掛け装置は後退しながら下降動することになるが、例えば、着座者が机上に載置したパソコンのキーボードやマウスを操作しつつロッキングすると、人の腕が大きく後退しつつ下降することにより、キーボードやマウスの操作しにくくなるおそれがある問題もあった。
【０００７】
本願発明は、このような現状を改善すべく成されたものである。
【課題を解決するための手段】
【０００８】
本願発明は様々な構成を含んでおり、その典型例を各請求項で特定している。このうち請求項１の発明は、脚の上端に設けたベースに、ばねに抗して後傾する傾動体が組み込まれており、前記ベースと傾動体とばねとが１つにユニット化されている、という基本構成になっている。
【０００９】
そして、前記傾動体に、前記ベースの後ろに位置したリア部とベースの左右外側に位置したサイド部とを有するブロック体が固定されており、前記ブロック体のリア部には背もたれ又はこれを支持する背支柱が取り付けられて、前記ブロック体のサイド部には肘掛け装置が取り付けられている。なお、ブロック体は、中継部材と言い換えてもよい。
【００１０】
請求項２の発明は、請求項１において、前記肘掛け装置は、前記ブロック体のサイド部に固定される水平状部を有する肘支柱と、前記肘支柱の上端に設けた肘当てとを有しており、前記肘支柱の水平状部は、前記傾動体の回動支点の近傍に位置している。
【００１１】
請求項３の発明は、請求項２において、前記肘支柱の水平状部にはボス部を設けて、前記ブロック体のサイド部には、前記ボス部が嵌まる係合穴が空いており、前記ボス部がビスで前記サイド部に固定されている。
【００１２】
請求項４の発明は、請求項１〜３のうちのいずれかにおいて、前記ブロック体のサイド部は、前記傾動体の回動支点の手前に向けて張り出した前向きアーム状になっており、前記サイド部の前端部で、人が着座すると座を下降させるためのリアリンクを連結している。
【００１３】
請求項５の発明は、基本的には請求項１と同じであり、相違点は、肘掛け装置が構成要件になっておらずに、前記ブロック体のサイド部に、肘掛け装置が取り付く肘掛け保持部を設けている点である。
【発明の効果】
【００１４】
本願発明では、複数機種の椅子を品揃えするにおいて、ベースと傾動体とを、各機種に共通したユニットとすることができる。このため、多数の機種を品揃えするにおいて、コストを抑制できると共に、部材管理の手間も軽減できる。また、背もたれ又は肘支柱と肘掛け装置とは、ブロック体の別々の場所に取り付けられるため、互いに干渉することはなくて設計の自由性が高いと共に、狭い部位に荷重が集中することを防止して、支持強度の向上にも貢献できる。
【００１５】
本願発明では、ロッキング時に肘掛け装置は背もたれと一緒に後傾するが、請求項２の構成では、肘支柱の水平状部が背もたれの回動支点の個所に位置しているため、ロッキング時に肘当てが下降することは殆どなく、また、後傾量も僅かである。このため、机上に載置したキーボードやマウスを操作しながらロッキングした場合に、ロッキングに応じて腕を伸ばすだけで、手首の位置はそのままに保持することが可能になる。従って、キーボードやマウスの操作性に優れている。
【００１６】
請求項３のように、ボスと係合穴との嵌まり合いの構成を採用すると、肘掛け装置の取り付けにおいて、いちいち肘掛け装置を手で持っていなくても所定の状態に仮保持できるため、肘掛け装置の取り付け作業の手間を軽減できる。また、ボスと係合穴との嵌まり合いによって連結強度が高くなるため、支持強度にも優れている。ビスを下方からねじ込むと、ビスが視認されないため、体裁もよい。
【００１７】
さて、人が着座すると座が後退しつつ下降する椅子として、特許文献２がある。このものでは、座の下降動に連動して背もたれの少なくとも下端が前進するようになっており、これにより、椅子に浅く腰掛けても着座者の腰をしっかりとサポートできるという優れた利点がある。また、着座によって座が後退すると、背もたれは前進しなくても、身体が後ろにずれるため、やはり着座者の腰部の支持機能に優れている。
【００１８】
そして、本願請求項４の発明では、リアリンクは傾動体の回動支点よりも手前においてブロック体のサイド部に連結されているため、ロッキングに際して座の後部が少し持ち上げられる傾向を呈する。従って、着座者の体重の一部がロッキングに対する抵抗として作用するが、この抵抗は着座者の体重に比例するため、ロッキングに対する抵抗を、体重が異なっても同じ程度に保持することが可能になる。また、着座者の体重が抵抗になる分だけ、ロッキング用のばねを小型化することもできる。
【図面の簡単な説明】
【００１９】
【図１】実施形態に係る椅子の全体図であり、（Ａ）は正面図、（Ｂ）は側面図である。
【図２】実施形態に係る椅子の後方斜視図であり、（Ａ）はシート材を表示したもの、（Ｂ）はシート材を省略したものである。
【図３】（Ａ）は椅子の主要部材の分離斜視図、（Ｂ）は肘掛け装置の取り付け状態を示す斜視図である。
【図４】分離斜視図である。
【図５】（Ａ）はベースの周辺部の分離斜視図、（Ｂ）は傾動フレームと背支柱との分離斜視図である。
【図６】座部を中心にしたおおまかな縦断側面図である。
【図７】背もたれを前進させる連動手段を示す図であり、（Ａ）（Ｂ）は第１連動リンクの斜視図、（Ｂ）は第２連動リンクと背もたれ枠体との分離斜視図である。
【図８】（Ａ）は第１連動リンクとリアブロックとの分離斜視図、（Ｂ）は第１連動リンクをリアブロックに取り付けた状態の斜視図、（Ｃ）は部分的な側面図である。
【図９】中央部の縦断側面図である。
【図１０】（Ａ）はベースの前端部の縦断側面図、（Ｂ）は下方から見た要部斜視図である。
【図１１】第１連動リンクと第２連動リンクとの関係を示す縦断側面図である。
【図１２】要部平面図である。
【図１３】（Ａ）はベースとリアブロック体との分離斜視図、（Ｂ）はリアブロック体と肘支柱との分離斜視図である。
【図１４】図１２の XIV-XIV視断面図である。
【図１５】図１２の XV-XV視断面図である。
【発明を実施するための形態】
【００２０】
次に、本願発明の実施形態を図面に基づいて説明する。本願では、方向を特定するため左右・前後の文言を使用しているが、これは、椅子に普通に腰掛けた人を基準にしている。正面図は、着座した人と対向した方向から見た図である。
【００２１】
本実施形態は、オフィスで多用されている回転椅子に適用している。また、本実施形態の椅子は、人が着座すると背もたれが、その下端を前進させるように姿勢を変化させるタイプであり、従って、特許文献２と同じタイプである。
【００２２】
(1).概略・座の下降機構
まず、主として図１〜６を参照して、椅子の概略と座の動きとを説明する。図１のとおり、椅子は、必須の要素として脚装置１、座２、背もたれ３を備えており、かつ、オプション品としての肘掛け装置４を備えている。
【００２３】
脚１は、ガスシリンダより成る脚支柱１ａと放射方向に延びる枝部１ｂとを有しており、各枝部５の先端にはキャスタを設けている。図３（Ｂ）や図４に示すように、脚支柱４の上端には、上向きに開口した略箱状のベース５が固定されている。ベース５には、蓋６が固定されている。
【００２４】
図１３に明示するように、ベース５は左右の側板５ａを有している。また、図６や図９に示すように、ベース５は、左右側板５ａに装架された水平姿勢の補強板５ｂを有しており、ベース５の底板と補強板５ｂとにブッシュ１ｃを溶接で固着して、ブッシュ１ｃに脚支柱１ａの上端を嵌め入れている。
【００２５】
ベース５の前端部には、樹脂製やアルミダイキャスト製のフロントブロック７がボルトで固定されており、フロントブロック７には、左右一対のフロントリンク８が左右横長の回動軸９にて前後回動可能に取り付けられている。フロントリンク８は、人が着座していないニュートラル状態で、側面視で鉛直線に対して少し後傾しており、人が着座すると後傾する。
【００２６】
後傾角度の規制は、図６から理解できるように、回転軸９に設けたストッパー１０が、フロントブロック７の内部に設けた凹所１１の底面に当たることによって行われている。フロントリンク８は、図示しないばねにより、ニュートラル状態に戻るように付勢されている。ストッパー１０は、図１０に明示するように、回転軸９にビス９ａで固定されている。図６，１０のとおり、ベース５の前部には、補強のため、後傾姿勢のフロント板５ｄを配置しており、フロント板５ｄは側板５ａに固定されている。
【００２７】
例えば図１３から理解できるように、ベース５の内部に、当該ベース５の左右側板５ａと近接した左右側板を有する傾動体１２が配置されており、傾動体１２は、左右長手の支軸１３によってベース５に回動自在に連結されている。図１３，６，９に示すように、傾動体１２は、ベース５の後ろにはみ出た後ろ向き張り出し部１２ａを有しており、後ろ向き張り出し部１２ａの後部に、リアブロック１４の重合部１４ｃが固定されている（詳細は後述する。）。本実施形態では、リアブロック１４が、請求項に記載したブロック体に相当する。
【００２８】
図４，図５（Ｂ），図１３（Ａ）から理解できるように、リアブロック１４は、ベース５の左右外側に位置したサイド１４ａと、ベース５の後ろにはみ出たリア部１４ｂとを有しており、サイド部１４ａの前端部にリアリンク１５がピンで連結されている一方、リア部１４ｂに、背支柱１６の下ジョイント部１６ａが固定されている。
【００２９】
例えば図５に示すように、背支柱１６は、左右の縦フレーム１６ｂを有しており、左右縦フレーム１６ｂ下端はブロック状の下ジョイント部１６ａによって一体に連結されて、左右縦フレーム１６ｂの上端は円弧状の上連接部１６ｃを介して一体に繋がっており、縦フレーム１６ｂの上端部に左右の枝部１６ｄを設けている。
【００３０】
他方、背もたれ３は、前後に開口した背もたれ枠体１７の前面にメッシュ材１８を張った構成である。正確には、背もたれ枠体１７の前面にシート材保持枠１９を装着しており、メッシュ材１８はシート材保持枠１９に取り付けられている。図４に示すように、背もたれ枠体１７は、正面視略四角形で、左右のサイドフレームと、その上端に連接したアッパーフレーム１７ａと、左右のサイドフレームの下端に連接したロアフレーム１７ｂとを有しており、アッパーフレーム１７ａは側面視で後ろ下向きに折り返されていて、シート材保持枠１９の上端部が、アッパーフレーム１７ａを覆うアッパーシェル１９ａに形成されている。
【００３１】
図３，６に示すように、座２は、座インナーシェル２ａの上面にクッション２ｂを張って、このクッション２ｂを表皮材（図示せず）で上から覆った形態であり、座インナーシェル２ａは、樹脂製の座アウターシェル２ｃに取り付けられている。そして、例えば図１（Ｂ）に示すように、座アウターシェル１９が、フロントリンク８及びリアリンク１５に、左右横長姿勢のピン２０（図４参照）によって連結されている。人が着座すると、両リンク８，１５がばね力に抗して後ろに倒れ回動し、これにより、座２は後退しつつ下降動する。既述したが、図３（Ｂ）のとおり、ベース５の上面には蓋６が固定されており、更に、図３（Ａ）から理解できるように、蓋６は第１カバー２１で覆われている。
【００３２】
例えば図１（Ａ）に示すように、座の左右前部下方にレバー２２ａ，２２ｂを配置している。着座者から見て左側のレバー２２ａは座の高さを調節するためのものであり、右側のレバー２２ｂは、ロッキングを制御するためのものである。
【００３３】
(2).ロッキング機構
次に、ロッキング機構を説明する。既述のとおり、傾動体１２は後ろ向き張り出し部１２ａを有しており、図６及び図９に示すように、リアブロック１４の左右中間部に設けた重合部１４ｃが傾動体１２の後ろ向き張り出し部１２ａに上から重なっており、重合部１４ｃと後ろ向き張り出し部１２ａとが、押さえ板２４を介して複数本のビス２３で固定されている。従って、リアブロック１４と傾動体１２とは一体に回動する。後ろ向き張り出し部１２ａと重合部１４ｃと押さえ板２４とがビス２３で共締めされているため、リアブロック１４が樹脂製であっても、高い固定強度を確保できる。
【００３４】
また、図１３（Ａ）に示すように、押さえ板２４は、後ろ向きに突出した複数の枝部２４ａを有している一方、リアブロック体１４の重合部１４ｃには、押さえ板２４の枝部２４ａが嵌まる凹溝１４ｃ′を形成しており、これら枝部２４ａが嵌まる凹溝１４ｃ′の個所でもビス２３で共締めされている。
【００３５】
図９に明瞭に示すように、支軸１３には、ロッキングに抵抗を付与するばねの一例として、ねじりコイルばね２５が被嵌している。ねじりコイルばね２５の一端部２５ａと他端部２５ｂとは接線方向に突出しており、一端部２５ａは、傾動体１２における後ろ向き張り出し部１２ａの前端に当接しており、他端部２５ｂは、ベース５の底板と補強板５ｂとの後端に固定した後面板５ｃに、後ろから当接している。そして、ロッキングによって傾動体１２が後傾すると、ねじりコイルばね２５は、その一端部２５ａと他端部２５ｂとの間隔が狭まるように軸心周りに変形し、これにより、ロッキングに対して抵抗が付与される。
【００３６】
ねじりコイルばね２５の後ろには、当該ねじりコイルばね２５を覆うようにばねカバー２６が配置されている。ばねカバー２６は、蓋５の後端に設けた下向き片６ａにビスで固定されている。また、図１３に示すように、ばねカバー２６には、傾動体１２に上から嵌まるスリット２６ａが形成されている。
【００３７】
図６，９に示すように、背支柱１６の下ジョイント部１６ａは、リアブロック１４のリア部１４ｂに、ビス２８及びナット２８ａで固定されている。図５（Ｂ）に示すように、下ジョイント部１６ａの前半分ほどは、リアブロック１４のリア部１４ｂに下方から重なっている。また、下ジョイント部１６ａには左右一対の前向き係合部２９を設けており、これら前向き係合部２９は、リアブロック１４のリア部１４ｂに形成した係合溝３０に下方から嵌まっている。
【００３８】
着座者が背もたれ３にもたれかかると、背支柱１６とリアブロック１４と傾動体１２とは、ねじりコイルばね２５を弾性変形させながら、支軸１３を中心にして一体に後傾動する。また、リアリンク１５はリアブロック１４に連結しているので、リアリンク１５もリアブロック１４と一体に動くが、リアリンク１５の取り付け部であるサイド部１４ａの先端部は、支軸１３よりも少し手前に位置しているため、リアリンク１５は、ロッキングに際して少し上昇する。
【００３９】
従って、ロッキングに対して、ねじりコイルばね２５のみでなく着座者の体重の一部も抵抗として作用するが、この着座者の抵抗の大きさは体重に比例するため、ねじりコイルばね２５を大型化することなく、適度のロッキング抵抗を得ることができる。つまり、ロッキングに対する抵抗が、着座者した人の体重に自動に比例するのであり、このため、ねじりコイルばね２５を小型化することができる。
【００４０】
例えば図１３に示すように、傾動体１２の左右側板はベース５の側板５ａに沿って手前に延びており、左右側板の前端間には左右横長のロッド１２ｂを装架している。このロッド１２ｂは、背もたれ３のロッキングを制御するためのものである。すなわち、図示しないロック部材に設けた複数の係合部がロッド１２ｂに選択的に係合することにより、背もたれ３を複数段の後傾姿勢に保持できる。ロック部材がロッド１２ｂに係合していないと、背もたれ３は自由に傾動する。
【００４１】
図４，５に示すように、リアブロック１４及びアジョイント部１６ａの上面は、左右一対の第２カバー３１で覆われている。背支柱１６は、樹脂製又はアルミダイキャスト製である。同様に、フロントブロック６及びリアブロック１４も、脂製又はアルミダイキャスト製である。
【００４２】
リアブロック１４のサイド部１４ａのうち、おおむね支軸１３と同じ前後位置の個所は肘掛け保持部になっている。この肘掛け保持部には、側面視略三角形の肘当て支持外向き突部３２が左右外向きに突設されており、肘当て支持外向き突部３２には、肘当て取り付け穴３３が左右外向きに開口している。この点は後述する。
【００４３】
(3).背もたれの前進機構
既述のとおり、本実施形態では、人が着座すると、背もたれ３は、その下端部が前進するように姿勢を変化させ得る。この背もたれ３の姿勢変化は、図７に全体を表示した第１連動リンク３５及び第２連動リンク３６によって行われる。第１連動リンク３５は、左右横長の基部３５ａと、基部３５ａの左右両端から手前に延びるアーム部３５ｂと、基部３５ａの左右中間部から後ろ向きに延びる押動部３５ｃとを有しており、図４に示すように、基部３５ａは、ベース５の後ろにおいて、リアブロック１４及び下ジョイント部１６ａとに重なっている。
【００４４】
左右のアーム部３５ｂはベース６の左右外面に配置されており、図７（Ａ）（Ｂ）に示すように、アーム部３５ｂの前後中途部に枢支穴３７が形成されており、図７（Ａ）及び図８（Ｂ）に示すように、枢支穴３７の個所が、ピンを兼用する段付きボルト３５ｄによって、リアブロック１４の前向き腕部１４ａに回動自在に連結されている（なお、図８（Ｂ）では、段付きボルト３５ｄは１つしか表示していない。）。従って、第１連動リンク３５は、枢支穴３７の個所を中心にしてシーソー状に上下回動し得る。
【００４５】
段付きボルト３５ｄは、アーム部３５ｂの左右内側から枢支穴３７に挿通している。他方、リアブロック１４の前向き腕部１４ａには、図８（Ｂ）に符号１４ｆで示すように、上向きに開口したナット保持穴が枢支穴３７と連通した状態に空いており、段付きボルト３５ｄは、ナット保持穴１４ｆにねじ込まれている。図８（Ｃ）に示すように、リアブロック１４の前向き腕部１４ａに、段付きボルト３５ｄの先端を逃がす貫通穴１４ｅが空いている。
【００４６】
図８（Ａ）（Ｂ）から理解できるように、リアブロック１４には、第１連動リンク３５のアーム部３５ａが嵌まり込む凹部１４ｃを形成している。また、リアブロック１４における前向き腕部１４ａの先端部には、アーム部３５ｂの先端の回動を許容する空間１４ｄが形成されている。
【００４７】
アーム部３５ｂの先端は、リアリンク１５の軸受け部１５ａに下向き突設した係合爪３８に係合している。係合爪３８は、リアリンク１５がニュートラル状態のときに、水平に対して若干後傾した姿勢で後ろ向きに延びており、アーム部３５ｂの先端には、係合爪３８が上から嵌まる上向き開口の係合溝３９を形成している。従って、人が着座してリアリンク１５が後傾すると、第１連動リンク３５は、その前端は下降して後端は上昇するように回動する。
【００４８】
図１１に示すように、第１連動リンク３５における押動部３５ｃの後端（上端）には、第２連動リンク３６の下端部が、上からの嵌め込みによって連結されている。すなわち、押動部３５ｃの後端に雄型嵌合部３５ｄを設けている一方、第２連動リンク３６の下端には雌型嵌合部３６ａを設けて、これらを嵌め合わせて、ビス４１及びナット４２で固定している。従って、押動部３５ｃと第２連動リンク３６との相対姿勢は変化しない。
【００４９】
そして、図７（Ｃ）に示すように、第２連動リンク３６の上端には、側面視で前向きに開口したクリップ部４０を形成している一方、背もたれ３を構成する背もたれ枠体１７のロアフレーム１７ｂには、クリップ部４０を左右から挟むような左右のリブ４３を設け、左右のリブ４３に、クリップ部４０が弾性に抗しての変形によって嵌まり込むピン部４４を一体に設けている。
【００５０】
図１１に示すように、第２連動リンク３６の左右中間部には、側面視で手前に向けて凸のボス部３６ｂを形成している。ボス部３６ｂの手前にビス４５が配置されているが、このビス４５は、背もたれ枠体１７のロアフレーム１７ｂとシート材保持枠１９のロアメンバーとを固定するためのものである。
【００５１】
例えば図５（Ａ）から容易に理解できるように、第２連動リンク３６の上端は第１連動リンク３５の回動支点よりも遥かに上に位置している。従って、着座によって第１連動リンク３５が回動すると、第２連動リンク３６は全体として手前に移動する。これにより、背もたれ３は、その下端が前進するように姿勢が変化する。
【００５２】
さて、背もたれが前進する移動量は、人が腰掛ける姿勢によって変化すべきである。つまり、背もたれの前進によって、人が前方へ押し出されることなく、浅く腰掛けた姿勢でも深く腰掛けた姿勢でも人の背中に当たった状態で止まるように工夫する必要がある。そこで、第１連動リンク３５のアーム部３５ｂのうち枢支穴３７の後側の部位を変形許容部３５ｂ′となし、この変形許容部３５ｂ′を上下方向に撓み変形させることにより、背もたれ３の下部が人の背中（腰部）に当たった状態でそれ以上前進しないようにしつつ、リアリンク１５が回動することを許容している。
【００５３】
このような機能は特許文献２も有しており、特許文献２では、ばね手段によって、人の腰掛け深さの位置の違いを吸収していたが、本実施形態のように第１連動リンク３５の弾性変形を利用すると、部材点数を抑制してコストを大幅に抑制できると共に、組み立ての手間の抑制や組み付け精度の向上に貢献できる利点がある。
【００５４】
(4).肘掛け装置の取り付け構造
次に、肘掛け装置４の取り付け構造を説明する。例えば図３（Ｂ）から容易に理解できるように、本実施形態の肘掛け装置４は高さを調節できる方式であり、肘支柱４７と肘当て４８とを有している。
【００５５】
肘支柱４７は、中空構造の起立部４９と、起立部４９の下端から左右内向きに延びる水平状部５０とを有しており、起立部４９に昇降体５１を上下動自在に嵌め入れて、昇降体５１の上端に肘当て４８を直接に又は中間部材を介して取り付けている。昇降体５１の上端部には、ロックを解除するためのレバー５２を装着している。なお、肘掛け装置は、高さを調節できない固定肘であってもよい。
【００５６】
既述のとおり、リアブロック体１４のサイド部１４ａには、支持外向き突部３２が外向き突出していて、この支持外向き突部３２の個所に肘当て取り付け穴３３が左右外向きに開口している。他方、肘支柱４７の水平状部５０には、肘当て取り付け穴３３に嵌まる突起５３を設けており、図１５に示すように、突起５３が前後２本のビス５４によってサイド部１４ａに固定されている。
【００５７】
突起５３の上面には、ナット５５が回転不能に嵌まるポケット５６を、上向きに開口するように形成している。また、リアブロック体１４におけるサイド部１４ａの下面には、ビス５４の頭が隠れる座繰り穴５７を形成している。
【００５８】
図１３（Ｂ）から理解できるように、突起５３及び肘当て取り付け穴３３は、側面視において、上が幅狭となる台形の形状になっている。このため、突起５３を肘当て取り付け穴３３に嵌め込むと、肘掛け装置４は前後回転不能に保持される。従って、一々肘掛け装置４を手で掴んでいなくても、ビス５４のねじ込み操作を行える。
【００５９】
また、突起５３の付け根の周囲の全体に亙って水平状部５０の端面５０ａが広がっており、支持外向き突部３２の先端面に、水平状部５０の端面５０ａが重なっている。このため、肘支柱４７に作用した下向きの荷重の一部は、水平状部５０の端面５０ａが支持外向き突部３２に当接することによっても支持される。従って、２本のビス５４での取り付けでありながら、高い締結強度を保持できる。
【００６０】
図１２から理解できるように、支持外向き突部３２は支軸１３のほぼ真横に配置されている。従って、ロッキングに際しては、肘支柱４７はその下端を中心にして後傾するだけであり、全体的に下降することはない。このため、着座者が机上に載置したキーボードやマウスを操作するに際して、腕を上すだけで、手首の位置は変えることなく操作を継続できる。従って、背もたれ３にもたれて机上作業を行うのに好適である。
【００６１】
実施形態のようにビス５４を下方かたらねじ込むと、ビス５４はその全体が視認されないため、美観に優れている。また、突起５３とビス５４とがクロスした姿勢になるため、締結強度にも優れている（突起５３の抜き方向の外力に対して、ビス５３にはせんだん力が作用するため、高い締結強度を発揮する。）。
【００６２】
図１４に示すように、支軸１３は、その両端に設けた軸受け５８を介してベース５の側板５ａに回転自在に保持されている。軸受け５８は側板５ａには貫通していないが、ベース５は、側板５ａと底部及び補強板５ｂとが別部材になっており、支軸１３を装架してから、側板５ａが底部及び補強板５ｂに固着されている。支軸１３は、傾動体１２にブッシュ５９を介して嵌まっている。
【００６３】
ベース５、傾動体１２、ばね２５は一体に組み込まれてユニット化されており、このユニットを様々な機種に共用できる。そして、新たな機種を開発するに当たっては、リアブロック体１４を専用品として設計したり、或いは、リアブロック体１４も共用して背部だけを設計し直したりすることにより、設計と製造に要する手間を節約できる。
【００６４】
本実施形態は、背もたれがメッシュ仕様になっているが、インナーシェルにクッションを張った構造であってもよい。ブロック体による背もたれの支持構造は、背もたれの構成に応じて適宜選択したらよい。ベースと傾動体との関係も、様々に具体化することができる。例えば、傾動体の側板がベースの外側に配置されていてもよい。敢えて述べることでもないが、本願発明は、着座によって座が下降しない椅子にも適用できる。
【産業上の利用可能性】
【００６５】
本願発明は、椅子に具体化できる。従って、産業上利用できる。
【符号の説明】
【００６６】
３  背もたれ
４  肘掛け装置
５  ベース
１２  傾動体
１２ａ  後ろ向き張り出し部
１３  傾動体の回動支点になる支軸
１４  リアブロック体（請求項のブロック体）
１４ａ  サイド部
１４ｂ  リア部
１４ｃ  重合部
１６  背支柱
１６ａ  背支柱の下ジョイント部
３２  肘掛け保持部を構成する外向き突部
３３  肘掛け保持部を構成する肘当て取り付け穴
４７  肘支柱
４８  肘当て
４９  起立部
５０  水平状部
５１  昇降体
５３  ボス部
５４  ビス
５５  ナット
【図１】
2017064035.tif 000003
【図２】
2017064035.tif 000004
【図３】
2017064035.tif 000005
【図４】
2017064035.tif 000006
【図５】
2017064035.tif 000007
【図６】
2017064035.tif 000008
【図７】
2017064035.tif 000009
【図８】
2017064035.tif 000010
【図９】
2017064035.tif 000011
【図１０】
2017064035.tif 000012
【図１１】
2017064035.tif 000013
【図１２】
2017064035.tif 000014
【図１３】
2017064035.tif 000015
【図１４】
2017064035.tif 000016
【図１５】
2017064035.tif 000017